(57)【特許請求の範囲】
【請求項１】
排水栓の昇降開閉をする作動部と、該作動部がレリースワイヤを介して遠隔操作される操作部とでなる排水栓装置において、操作部は回転つまみと、それが装填される冠状ケースとで構成し、回転つまみには、下端に内歯車及びリミットストッパー部を形成し、冠状ケースには、回転つまみの内歯車に噛合するピニオン及び回転つまみの回転をリミット係止する係止凸部を設け、且つ冠状ケースの中心から外方へ回転つまみの回転で押出し、引入れがされる押引軸を有し、該押引軸側面にはラックを形成してピニオンとの噛合がされ、該押引軸を出没ガイドするガイド管が冠状ケース外周に形成されて、回転つまみの回転で押引軸がガイド管より出没され、この操作によってレリースワイヤを介しての作動部による排水栓の昇降がされることを特徴とする遠隔操作式排水栓装置。
【請求項２】
施工壁面の嵌合孔に嵌合係止する操作部が、回転つまみと、それが装填される冠状ケースとで構成され、冠状ケースには、外周に突出するガイド管が施工壁面と並行するようにされたフランジを端部に形成し、該フランジとで嵌合孔が挟持される爪付挟持片を側周に形成し、施工壁面の裏面には、冠状ケースが施工壁面の嵌合孔をガイド管の回動しないように係止されるストッパー片が設けられていることを特徴とする請求項１記載の遠隔操作式排水栓装置。
【発明の詳細な説明】
【技術分野】
【０００１】  本発明は、洗面台、浴槽、流し台などにおける排水栓の昇降による開閉がレリースワイヤを介しての回転つまみの回転による遠隔操作される遠隔操作式排水栓装置に関するものである。
【背景技術】
【０００２】  従来における洗面台、浴槽、流し台などの遠隔操作式排水栓装置は、排水栓の開閉をする昇降がレリースワイヤを介しての操作部による操作によって作動部への遠隔操作されるものであって、普遍化されている。
操作部の押釦による押圧操作では、立設する筒状押釦支持体に押釦の軸杆が摺動自在に設けられ、該軸杆にレリースワイヤのインナーワイヤを接続させており、該レリースワイヤにおけるアウターチューブ内でのインナーワイヤの円滑な摺動が可能とされるには、レリースワイヤが極端に曲げられないようにし、即ち、アウターチューブが潰されないようにすることであって、それにはその押釦支持体の設置空間をレリースワイヤが曲げられずに設置できるように広い空間にすることが必要とされる。
しかしながら、設置が望まれる浴槽などの設置壁面裏の奥行きがない狭い空間などでは、レリースワイヤを止むを得ず極度に曲げなければならないことになる。そこで、このような施工では、レリースワイヤが曲げられても潰れないように曲げ具合を調整する接続部材が備えられる（特許文献１）。【０００３】  レリースワイヤを介して遠隔操作がされる遠隔操作式排水栓装置には、操作部に押釦を使用せず、且つ排水栓の開閉状態をロック維持するスラストロック機構をも設けず、回転つまみによる回転ドラムの回転でアウターチューブ内のインナーワイヤの押し引き操作されるものがある。
この遠隔操作式排水栓装置は、レリースワイヤのアウターチューブが、回転つまみで回転される回転ドラムを内蔵する操作部ケースと排水栓を昇降させる作動部とに接続され、該アウターチューブに挿通するインナーワイヤを回転ドラムの外周一部に係合し、回転つまみによる回転ドラムの回転でインナーワイヤを巻き取り、又は巻き戻してその押し引きで排水栓の昇降がされるものである（特許文献２）。【０００４】  また、操作部に押釦や回転ドラムを回転させる回転つまみを使用せずに、水槽のエプロン部上面などにレバー操作部を配設した遠隔操作式排水栓装置もある（特許文献３）。
【先行技術文献】
【特許文献】
【０００５】
【特許文献１】  特開２００６−１９４０１７
【特許文献２】  実開昭５７−１９７５６４
【特許文献３】  登録実用新案第３０４９２８０号
【発明の概要】
【発明が解決しようとする課題】
【０００６】  押釦による押圧操作で排水栓の開閉がされる遠隔操作式排水栓装置は、押釦の軸杆が起立した筒状押釦支持体を円滑に摺動するには、或る一定奥行き広さのある空間を必要とすることから、押釦支持体の取付壁面裏側の奥行きが狭い空間であると、レリースワイヤが極度な弯曲を強要され、曲げ具合を調整する接続部材を備えても限度があり、対処できず、極度な彎曲のため屈折を起し、アウターチューブ内のインナーワイヤの摺動を困難にし、栓蓋の昇降に支障をきたすことになる。【０００７】  操作部取付壁面裏側の奥行きが狭い空間である場合に対処できるものとして、回転つまみによる回転ドラムの回転でインナーワイヤを巻き取り、又は巻き戻して排水栓の昇降がされる遠隔操作式排水栓装置がある。この操作部は、該操作部とレリースワイヤとが設置壁面と並行に接続されるので、押釦の操作部のように接続のため曲げなければならないことがなく、設置される壁面裏の奥行きが狭くてもよい。しかし、幅丈のある回転ドラムの収まる操作部ケースの一定深さの空間を必要とする。そして、回転つまみの回転操作を軽くするために回転ドラム径が小さくされると、回転ドラムに巻付けるインナーワイヤの曲げ具合が大きくなり、屈曲しやすく、また、疲労度が進み、耐久性を欠くことになって不都合である。
また、インナーワイヤは回転ドラムの外周に係合され、この係合点が巻き取り、巻き戻しの作用点となるため、係合が強化されなければならなく、また、そのインナーワイヤを操作部ケース外方にガイドするガイド管が外周接線方向に設けられることから、このガイド管が偏った位置にある為、操作部ケースを設置施工する芯出しが難しく、苦慮させられることになる。【０００８】  また、水槽のエプロン部上面などにレバー操作部を配設した場合には、操作部を取付ける設置壁面が、押釦による操作部と同様に、設置壁面裏の奥行きがあるエプロン部上面などにしか設置できず、また、レバー操作部は顕出する部分が占める空間を大きく必要とし、不都合である。【０００９】  そこで、本発明は、レリースワイヤを操作部の設置壁面と並行に接続した操作部が設置壁面裏の奥行きの狭隘な空間にも係らず取付けられ、そして、軽い操作が単純で、且つ簡単に、しかも容易にできる回転つまみによる遠隔操作式排水栓装置を得ることにある。
【課題を解決するための手段】
【００１１】  本発明の遠隔操作式排水栓装置は、排水栓の昇降開閉をする作動部と、該作動部がレリースワイヤを介して遠隔操作される操作部とでなる排水栓装置において、操作部は回転つまみと、それが装填される冠状ケースとで構成し、回転つまみには、下端に内歯車及びリミットストッパー部を形成し、冠状ケースには、回転つまみの内歯車に噛合するピニオン及び回転つまみの回転をリミット係止する係止凸部を設け、且つ冠状ケースの中心から外方へ回転つまみの回転で押出し、引入れがされる押引軸を有し、該押引軸側面にはラックを形成してピニオンとの噛合がされ、該押引軸を出没ガイドするガイド管が冠状ケース外周に形成されて、回転つまみの回転で押引軸がガイド管より出没され、この操作によってレリースワイヤを介しての作動部による排水栓の昇降がされるものである。【００１２】  本発明の遠隔操作式排水栓装置は、施工壁面の嵌合孔に嵌着係止する操作部が、回転つまみと、それが装填される冠状ケースとで構成され、冠状ケースには、外周に突出するガイド管が施工壁面と並行するようにされたフランジを端部に形成し、該フランジとで嵌合孔が挟持される爪付挟持片を側周に形成し、施工壁面の裏面には、冠状ケースが施工壁面の嵌合孔をガイド管で回動しないように係止されるストッパー片が設けられているものである。
【発明の効果】
【００１４】  本発明の遠隔操作式排水栓装置は、操作部が、回転つまみの回転でそれを装填する冠状ケースの中心から外方へ押引軸を押出し、引入れされ、該押引軸を冠状ケース外周に形成されたガイド管より出没させるものであって、押引軸の出没に負荷があまりかからず、回転つまみの回転を軽く出来、そして操作部をコンパクトに出来、回転つまみによる簡単且つ容易な回転をさせることができる。
そして、回転つまみによる操作部は、該操作部にレリースワイヤがその設置壁面と並行に接続されるので、壁面裏の奥行きが狭い空間であってもレリースワイヤの極端な彎曲をさせず、容易に設置でき、インナーワイヤのアウターチューブ内での摺動に支障ないようにできる。
よって、回転つまみによる操作部の設置は、浴槽壁面、カウンター、及びエプロン等のみならず、浴室の壁面、脱衣室の壁面、洗面ボウル内壁面、及び洗面ボウルの水返し壁面等にも容易にできることになる。【００１５】  本発明の遠隔操作式排水栓装置は、冠状ケースには、外周に突出するガイド管を施工壁面と並行するようにフランジが端部に形成され、該フランジとで嵌合孔が挟持される爪付挟持片を側周に形成しているので、施工壁面の表裏両者の空間が狭隘であっても、取付け施工可能であり、まして、ガイド管を施工壁面と並行させることによって、これに接続されるレリースワイヤを極度な弯曲にさせることなく、よって、アウターチューブ内のインナーワイヤの軽い摺動を可能にし、アウターチューブへの負荷が軽減され、故障の発生を阻止することができる。また、施工壁面の裏面には、冠状ケースが廻らないようにガイド管を係止するストッパー片が設けられているので、回転つまみの回転による冠状ケースの連れ廻りを起さないようにできる。【００１６】  本発明の遠隔操作式排水栓装置は、リターンスプリングが配設され、回転つまみの回転で押引軸を突出し、この突出によってインナーワイヤによる作動部で排水栓を押圧して開口し、回転つまみの逆回転で押引軸が引込み、押引軸よりの押圧が除かれるので、リターンスプリングによりインナーワイヤを元に戻し、排水栓が自重で降下して閉口されるものである。その為、インナーワイヤを排水栓の閉口の初期設定位置へ戻すリターンスプリングの作動で、正確且つ確実な排水栓の開閉ができることになる。
【図面の簡単な説明】
【００１７】
【図１】  遠隔操作式排水栓装置の回転つまみによる操作部における排水栓の閉口と開口との状態を示す縦割断面図である。
【図２】  回転つまみによる操作部における排水栓の閉口と開口との状態を示す一部を残した縦割断面の斜視図である。
【図３】  回転つまみによる操作部における排水栓の閉口と開口との状態を示す横割断面図である。
【図４】  回転つまみによる操作部における排水栓の閉口と開口との状態を示す上面図である。
【図５】  回転つまみによる操作部の冠状ケースにダイヤルつまみを装填した排水栓の閉口と開口との状態を示す縦割断面図である。
【図６】  回転つまみによる操作部を施工壁面に装着取付けした状態を示す側面図である。
【図７】  回転つまみによる操作部が施工壁面に装着取付けされた状態を施工壁面が断面されて示す側面図である。
【図８】  回転つまみによる操作部が施工壁面に装着取付けされた状態を示す裏面図である。
【図９】  遠隔操作式排水栓装置のリターンスプリングの押圧で排水栓を閉口し、回転つまみの回転で開口する状態を示す断面図である。
【図１０】  遠隔操作式排水栓装置の回転つまみの回転で、それに接続されたレリースワイヤによって排水栓が開閉口される状態を示す断面図である。
【発明を実施するための形態】
【００１８】  本発明の遠隔操作式排水栓装置における回転つまみによる操作部は、図１乃至図５で示す如く、回転つまみ１と、該回転つまみが装填される冠状ケース２とで構成され、回転つまみ１には、下端部に内歯車３とリミットストッパー部４を形成し、冠状ケース２には、回転つまみの内歯車３に噛合するピ二オン２５、及び回転つまみ１の回転をリミット係止する弓なりに固定された板ばねの頂部に凸部６１を形成した係止凸部６が設けられ、且つ冠状ケース２の中心から外方へ回転つまみ１の回転で押出し、引入れがされる押引軸７を有し、押引軸７の側面にはラック８を形成してピ二オン５との噛合がされている。
そして、冠状ケース２の外周には、押引軸７を冠状ケース２外周より出没ガイドするガイド管９が形成されている。
回転つまみ１の回転でその内歯車３が、冠状ケース２の係止凸部６によるその凸部６１の押圧によってのリミット係止がされるリミットストッパー部４の範囲で回転され、該内歯車に噛合するピ二オン５を回転し、該ピ二オンに噛合するラック８が形成される押引軸７を冠状ケース２の外周に形成されたガイド管９より押し出し、引き入れすることになる。
【００１９】  施工壁面１０の嵌合孔１０１に嵌合係止する回転つまみ１とそれが装填される冠状ケース２とで構成する回転つまみによる操作部は、図５乃至図８で示す如く、冠状ケース２には、外周に突出するガイド管９を施工壁面と並行するようにフランジ２１が端部に形成され、該フランジとで施工壁面の嵌合孔１０１が挟持される切り起した爪付挟持片２２を冠状ケース２の側周に形成している。また、施工壁面１０の裏面には、冠状ケース外周のガイド管９で冠状ケース２が施工壁面の嵌合孔１０１を回動しないように係止するストッパー片１０２が設けられている。
ピ二オン５、押引軸７、及び回転つまみ１が組込まれた回転つまみによる操作部を施工壁面１０１に施工する際には、ガイド管９を先にして嵌合孔１０１に挿入し、ガイド管９をストッパー片１０２に係止させながら、冠状ケース２側周を嵌合孔１０１に嵌入させ、爪付挟持片２２の爪部２２０とフランジ２１とで、施工壁面１０を挟持し、冠状ケース２が回動しないように嵌合孔１０１に装着される。
また、冠状ケースには、止ピン２２１が施され、回転つまみ１に形成されたガイド係止孔１１と係止し、該回転つまみが回転しても冠状ケース２より抜け出ないようにされている。
【００２０】  図９に示す如く、排水栓の昇降開閉をする作動部７２と、該作動部がレリースワイヤ７３を介して遠隔操作される操作部７１とでなる遠隔操作式排水栓装置において、レリースワイヤ７３のインナーワイヤ７３１を挿通するアウターチューブ７３２が冠状ケース２にクリップ７５で接続され、該クリップ内には、遠隔操作で排水栓の開口の押し操作がされるインナーワイヤ７３１を排水栓の閉口の初期設定位置へ戻すリターンスプリング７４が配設され、アウターチューブ７３２がクリップ７５をもって接続された冠状ケース２には、回転つまみ１と、回転つまみ１の回転でピ二オン５及びラック８の噛合によりインナーワイヤ７３１の端部を押圧する押引軸７が設けられ、回転つまみ１による回転でインナーワイヤの押出し、リターンスプリング７４でインナーワイヤ７３１の引き戻しが行われる。よって、インナーワイヤ７３１の押出し、引戻しが、作動部７２に働き、排水栓の開閉がされる。
なお、クリップ７５内に配設されるリターンスプリング７４は、アウターチューブ７３内、又は作動部側アウターチューブ端部等、操作部７１による排水栓の昇降開閉をする作動部７２への遠隔操作されるインナーワイヤ７３１の押出し、引戻しがされる過程内に配設されてもよい
【００２１】  図１０によって他の実施例を示す。排水栓の昇降開閉をする作動部７２と、該作動部がレリースワイヤ７３を介して遠隔操作される操作部７とでなる遠隔操作式排水栓装置において、レリースワイヤ７３にはアウターチューブ７３２内をインナーワイヤ７３１が挿通され、アウターチューブ７３２を作動部７２、及び操作部７１に接続し、アウターチューブ７３２に接合された操作部７１には、回転つまみ１とその回転つまみ１の回転で押し引きされる押引軸７を有し、該押引軸の押し引きで排水栓の開閉の遠隔操作がされるインナーワイヤ７３１には、押引軸７が接合継続され、回転つまみ１の回転でインナーワイヤ７３１が押し引きされて排水栓の開閉をする。
【００２２】  なお、回転つまみ１による操作部７１は、身体障害者、若しくは小児であっても簡単且つ容易に操作できるよう回転つまみにレバーを併設したレバーハンドルの操作部にしてもよいことは言うまでもない。
【符号の説明】
【００２３】１        回転つまみ
１１      ガイド係止孔
２        冠状ケース
２１      フランジ
２２      爪付挟持片
２２０    爪部
２２１    止めピン
３        内歯車
４        リミットストッパー部
５        ピ二オン
６        係止凸部
６１      凸部
７        押引軸
７１      操作部
７２      作動部
７３      レリースワイヤ
７３１    インナーワイヤ
７３２    アウターチューブ
７４      リターンスプリング
７５      クリップ
８        ラック
９        ガイド管
１０      施工壁面
１０１    嵌合孔
１０２    ストッパー片
【図１】
0005641290.tif 000002
【図２】
0005641290.tif 000003
【図３】
0005641290.tif 000004
【図４】
0005641290.tif 000005
【図５】
0005641290.tif 000006
【図６】
0005641290.tif 000007
【図７】
0005641290.tif 000008
【図８】
0005641290.tif 000009
【図９】
0005641290.tif 000010
【図１０】
0005641290.tif 000011